(57)【要約】【課題】  ユーザに対してマウスポインタを用いて画面上の情報を効果的に示すことができる、マウスポインタ制御プログラム、記録媒体及びサーバを提供する。【解決手段】  ユーザによってマウスポインタが操作されていない場合、サーバからマウスポインタ１をバナー広告２へ自動的に移動させる信号が、ユーザのコンピュータに送信されて、マウスポインタ１がバナー広告２に向けて自動的に移動を始める。サーバからマウスポインタ１を変化させる信号が、ユーザのコンピュータに送信されて、マウスポインタ１がバナー広告２に向けて移動し始めると、マウスポインタ１は先端がバナー広告２に向いた形状の矢印に変化すると共に点滅する。【選択図】  図１
2007058735.tif 000002
【特許請求の範囲】
【請求項１】
マウスポインタを表示する電子計算機と通信可能なサーバにインストールされて、
前記マウスポインタを自動的に所定の位置へ移動させる信号を前記電子計算機に送信するよう前記サーバを機能させる
マウスポインタ制御プログラム。
【請求項２】
前記マウスポインタを変化させる信号を前記電子計算機に送信するよう前記サーバを機能させる
請求項１に記載のマウスポインタ制御プログラム。
【請求項３】
前記マウスポインタの移動時間を制御する信号を前記電子計算機に送信するよう前記サーバを機能させる
請求項１または請求項２に記載のマウスポインタ制御プログラム。
【請求項４】
電子計算機に表示されるマウスポインタを自動的に所定の位置へ移動させる信号を前記電子計算機に送信するようサーバを機能させるマウスポインタ制御プログラムを記録したサーバ読み取り可能な記録媒体。
【請求項５】
前記マウスポインタ制御プログラムは、前記マウスポインタを変化させる信号を前記電子計算機に送信するよう前記サーバを機能させる
請求項４に記載の記録媒体。
【請求項６】
前記マウスポインタ制御プログラムは、前記マウスポインタの移動時間を制御する信号を前記電子計算機に送信するよう前記サーバを機能させる
請求項４または請求項５に記載の記録媒体。
【請求項７】
マウスポインタを表示する電子計算機と通信可能なサーバであって、
前記マウスポインタを自動的に所定の位置へ移動させる信号を前記電子計算機に送信する手段を備えた
サーバ。
【請求項８】
前記マウスポインタを変化させる信号を前記電子計算機に送信する手段を備えた
請求項７に記載のサーバ。
【請求項９】
前記マウスポインタの移動時間を制御する信号を前記電子計算機に送信する手段を備えた
請求項７または請求項８に記載のサーバ。
【発明の詳細な説明】
【技術分野】
【０００１】
本発明はマウスポインタ制御プログラム、記録媒体及びサーバに関する。詳しくは、バナー広告等所定の位置にある情報を示すようマウスポインタを制御する、マウスポインタ制御プログラム、記録媒体及びサーバに係るものである。
【背景技術】
【０００２】
マウスポインタは、コンピュータの操作画面に表示される、通常は矢印の形をした記号であり、コンピュータを操作する者（ユーザ）が、文章を入力する位置を特定したり、ウェブページ上のリンクのある位置を選択（クリック）したりする場合に用いるというように、ユーザがコンピュータを操作する際にはユーザの視線を浴びるものである。
【０００３】
ウェブページ上のリンクのある位置の例として、テキスト形式若しくは画像（動画や静止画）形式の広告媒体であるバナー広告が挙げられる。ウェブページの様々な場所にこのバナー広告が配置され、様々な広告が提供されている。ウェブページに掲載されたバナー広告をユーザがマウスポインタを操作して選択することで、広告主である企業等のウェブページへ移動し、そのページの内容がユーザに掲示される。
【０００４】
ところで、バナー広告は、ウェブページの上側等、ウェブページを閲覧しているユーザの目に付きやすい位置に配置されているが、ウェブページを閲覧する回数が増えるにつれて、バナー広告が無意識のうちに目に入らなくなり、バナー広告をクリックする回数が激減していた。
【０００５】
そこで、ユーザがバナー広告を選択する回数を増やして、リンク先の広告主のウェブページへのアクセス数を増加させるために様々な技術が提案されており、例えば、特許文献１には、ユーザが抽選結果や占い結果を見ようとして抽選のスタートボタンや占いの星座図画を選択することによって、同時にリンク先の広告主のウェブページに移動するように構成したバナー広告システムを開示している。
【０００６】
【特許文献１】特開２００２−１０９３８５号公報
【発明の開示】
【発明が解決しようとする課題】
【０００７】
しかしながら、従来のバナー広告システムのような方法では、抽選や占いに興味がないユーザに対して、バナー広告等の所定の位置にある情報を効果的に示し、選択する回数を向上させるにはまだ充分ではなかった。
【０００８】
本発明は、以上の点に鑑みて創案されたものであり、ユーザに対してマウスポインタを用いて画面上の情報を効果的に示すことができる、マウスポインタ制御プログラム、記録媒体及びサーバを提供することを目的とする。
【課題を解決するための手段】
【０００９】
上記の目的を達成するために、本発明のマウスポインタ制御プログラムは、マウスポインタを表示する電子計算機と通信可能なサーバにインストールされて、前記マウスポインタを自動的に所定の位置へ移動させる信号を前記電子計算機に送信するよう前記サーバを機能させる。
【００１０】
ここで、マウスポインタが自動的に所定の位置に移動するので、ユーザに所定の位置を意識させ、その位置がリンクのある位置であれば詳しく内容を知りたいと思うようにさせる。ここでいう「所定の位置」とは、バナー広告等のリンクのある文字や画像並びに、リンクのない文字や画像がある位置を示す。また、ここでいう「自動的」とは、例えば「ユーザの操作によらず」ということを意味する。
【００１１】
また、本発明のマウスポインタ制御プログラムにおいて、マウスポインタを変化させる信号を電子計算機に送信するようサーバを機能させた場合、マウスポインタがユーザの目を惹きやすくなる。
【００１２】
更に、本発明のマウスポインタ制御プログラムにおいて、マウスポインタの移動時間を制御する信号を電子計算機に送信するようサーバを機能させた場合、移動時間を長くしてマウスポインタの移動や変化をユーザがゆっくり見ることができると共に、そのまま所定の位置までユーザの目を誘導できる。
【００１３】
また、上記の目的を達成するために、本発明の記録媒体は、電子計算機に表示されるマウスポインタを自動的に所定の位置へ移動させる信号を前記電子計算機に送信するようサーバを機能させるマウスポインタ制御プログラムを記録したサーバ読み取り可能なものである。
【００１４】
ここで、マウスポインタが自動的に所定の位置に移動するので、ユーザに所定の位置を意識させ、その位置がリンクのある位置であれば詳しく内容を知りたいと思うようにさせる。ここでいう「所定の位置」とは、バナー広告等のリンクのある文字や画像並びに、リンクのない文字や画像がある位置を示す。また、ここでいう「自動的」とは、例えば「ユーザの操作によらず」ということを意味する。
【００１５】
更に、上記の目的を達成するために、本発明のサーバは、マウスポインタを表示する電子計算機と通信可能なサーバであって、前記マウスポインタを自動的に所定の位置へ移動させる信号を前記電子計算機に送信する手段を備えている。
【００１６】
ここで、マウスポインタが自動的に所定の位置に移動するので、ユーザに所定の位置を意識させ、その位置がリンクのある位置であれば詳しく内容を知りたいと思うようにさせる。ここでいう「所定の位置」とは、バナー広告等のリンクのある文字や画像並びに、リンクのない文字や画像がある位置を示す。また、ここでいう「自動的」とは、例えば「ユーザの操作によらず」ということを意味する。
【発明の効果】
【００１７】
本発明に係るマウスポインタ制御プログラムは、ユーザに対してマウスポインタを用いて画面上の情報を効果的に示すことができる。
本発明に係る記録媒体は、ユーザに対してマウスポインタを用いて画面上の情報を効果的に示すことができる。
本発明に係るサーバは、ユーザに対してマウスポインタを用いて画面上の情報を効果的に示すことができる。
【発明を実施するための最良の形態】
【００１８】
以下、本発明の実施の形態について図面を参照しながら説明し、本発明の理解に供する。図１は、本発明を適用したマウスポインタ制御プログラムによってマウスポインタが自動的に指定されたバナー広告へ移動する様子の一例を示す概略図である。
【００１９】
図１において、ユーザが、本発明を適用したマウスポインタ制御プログラムがインストールされたサーバによって提供されているウェブページ３を開いた時、マウスポインタ１はウェブページ３の左下に位置しており、バナー広告２はウェブページ３の右上に配置されている（図１（ａ）参照。）。次に、ユーザによってマウスポインタが操作されていない場合、サーバからマウスポインタ１をバナー広告２へ自動的に移動させる信号が、ユーザのコンピュータ（電子計算機の一例）に送信されて、マウスポインタ１がバナー広告２に向けて自動的に移動を始める（図１（ｂ）及び図１（ｃ）参照。）。サーバからマウスポインタ１を変化させる信号が、ユーザのコンピュータに送信されて、マウスポインタ１がバナー広告２に向けて移動し始めると、マウスポインタ１は先端がバナー広告２に向いた形状の矢印に変化すると共に点滅する。また、サーバからマウスポインタ１の移動時間を制御する信号が、ユーザのコンピュータに送信されて、例えばマウスポインタ１が移動を始めてからバナー広告２に到達するまでの時間が１〜５秒間に設定される。そして、マウスポインタ１がバナー広告２に到達すると、マウスポインタ１は停止する（図１（ｄ）参照。）。
【００２０】
ここで、マウスポインタが自動的にバナー広告等の所定の位置に移動するのであれば、マウスポインタはどのように動いてもよく、例えば所定の位置へ直進したり、蛇行したり、回転したりしながら所定の位置へ移動してもよいし、また、移動と停止を繰り返しながら、所定の位置へ移動してもよい。
【００２１】
また、マウスポインタが自動的にバナー広告等の所定の位置に移動するのであれば、必ずしもサーバからマウスポインタを変化させる信号が、ユーザのコンピュータに送信されなくてもよく、また、必ずしもサーバからマウスポインタの移動時間を制御する信号が、ユーザのコンピュータに送信されなくてもよい。
【００２２】
また、マウスポインタが自動的にバナー広告等の所定の位置に移動するのであれば、マウスポインタは必ずしも点滅していなくてもよく、また、必ずしも先端が所定の位置に向いた形状の矢印でなくてもよく、例えばロゴマーク、アニメーション、文字等に変化したり、赤→黄→青→オレンジ→緑のように色が変化したりしてもよい。
【００２３】
更に、マウスポインタが自動的にバナー広告等の所定の位置に移動するのであれば、マウスポインタの移動中、マウスポインタがバナー広告等の所定の位置に向かって移動している旨等を音声でユーザに知らせるようにしてもよい。
【００２４】
図２は、本発明を適用したマウスポインタ制御プログラムによってマウスポインタが自動的に指定されたバナー広告へ移動する様子の他の例を示す概略図である。図２において、マウスポインタ１は先ず第１のバナー広告２Ａへ向けて自動的に移動する（図２（ａ）参照。）。第１のバナー広告２Ａに到達したマウスポインタ１は所定時間停止した後、第２のバナー広告２Ｂへ向けて自動的に移動する（図２（ｂ）参照。）。そして、第２のバナー広告２Ｂに到達したマウスポインタ１は停止する（図２（ｃ）参照。）。
【００２５】
このように、本発明を適用したマウスポインタ制御プログラムは、マウスポインタを自動的に所定の位置へ移動させる信号を電子計算機に送信するようサーバを機能させるので、例えば所定の位置がバナー広告の場合には、ユーザはバナー広告を意識するようになり、詳しく内容を知りたいと思うようになって、バナー広告を選択する回数が向上し、広告された商品等の売上向上に寄与することができるというように、所定の位置の情報をユーザに対して効果的に示すことができる。特に、バナー広告を選択した回数に応じて、報酬がホームページ運営者に支払われるプログラムを利用しているホームページ運営者にとっては、本発明を適用したマウスポインタ制御プログラムを用いることによって、ユーザにバナー広告を意識させることができ、しかも複数あるバナー広告のうち報酬の大きいバナー広告を所定の位置とすることで、より大きな報酬を得ることができる。
【００２６】
また、本発明を適用したマウスポインタ制御プログラムは、マウスポインタを変化させる信号を電子計算機に送信するようサーバを機能させるので、マウスポインタがユーザの目を惹きやすくなってユーザがマウスポインタを目で追うようになり、その結果マウスポインタの移動先である所定の位置例えばバナー広告まで目を移し、所定の位置の情報をユーザに対して効果的に示すことができる。
【００２７】
更に、本発明を適用したマウスポインタ制御プログラムは、マウスポインタの移動時間を制御する信号を電子計算機に送信するようサーバを機能させるので、移動時間を長くしてマウスポインタの移動や変化をユーザがゆっくり見ることができると共に、そのままバナー広告までユーザの目を誘導でき、所定の位置の情報をユーザに対して効果的に示すことができる。
【図面の簡単な説明】
【００２８】
【図１】本発明を適用したマウスポインタ制御プログラムによってマウスポインタが自動的に指定されたバナー広告へ移動する様子の一例を示す概略図である。
【図２】本発明を適用したマウスポインタ制御プログラムによってマウスポインタが自動的に指定されたバナー広告へ移動する様子の他の例を示す概略図である。
【符号の説明】
【００２９】
１    マウスポインタ
２    バナー広告
２Ａ  第１のバナー広告
２Ｂ  第２のバナー広告
３    ウェブページ
【図１】
2007058735.tif 000003
【図２】
2007058735.tif 000004